(57)【特許請求の範囲】
【請求項１】
シリンダ錠が埋設され、側面に挿入溝が設けられた錠本体の内部に、上記シリンダ錠の施錠，解錠操作で上記挿入溝に出没する施錠ロッドを設けた施錠部と、
内部にカラー収容室が形成され、外面から上記カラー収容室に連通する横長孔を有するジョイント本体と、上記カラー収容室内に昇降可能，回動可能に挿入される上下一対のジョイントカラーと、該一対のジョイントカラーを貫通する支軸と、一端部が上記一対のジョイントカラーの間の上記支軸に枢着され、他端部が上記挿入溝に挿入され、上記施錠ロッドが係合する施錠孔を有する連結板とを備えたジョイント部により構成され、
前面に開口部を有する箱体と上記開口部を開閉する扉のうち、一方に上記施錠部を固着し、他方に上記ジョイント部を固着したことを特徴とする開扉防止用錠装置。
【請求項２】
上記横長孔は、上記連結板の上下方向の位置調整が可能である幅寸法を有することを特徴とする請求項１に記載の開扉防止用錠装置。
【請求項３】
上記連結板は、表面を焼入れした肌焼き材であることを特徴とする請求項１に記載の開扉防止用錠装置。
【請求項４】
上記挿入溝の側面を凹状面に形成し、上記連結板の先端部に、上記凹状面と同形状の輪郭の凸状面を形成し、該凸状面が上記凹状面に当接したときに、上記施錠孔が上記施錠ロッドの軸心と重なることを特徴とする請求項１，２又は３に記載の開扉防止用錠装置。
【発明の詳細な説明】
【０００１】
【発明の属する技術分野】
本発明は、自動販売機などの扉が強引なこじ開けなどにより不正開扉されることを防止する開扉防止用錠装置に関する。
【０００２】
【従来の技術】
自動販売機の扉などには、シリンダ錠などの錠装置が設けられているので、キーを持たない他人が施錠中の扉を勝手に開けることはできないが、店頭や路傍に設置された自動販売機は、人通りが少なくなった夜間に、バールなどを利用して自動販売機の箱体及び扉を暴力的に変形して扉をこじ開けてシリンダ錠の施錠を外す悪質な盗難に逢う危険性がある。
【０００３】
このような犯罪を防止するには、自動販売機の周囲にチェンを巻付けて、チェンの両端を南京錠で施錠し、自動販売機の開扉を不能にする方法があるが、自動販売機の周囲に巻き付けるチェンの長さが長くなり、使い勝手が悪い問題や、チェンの両端を施錠した南京錠は、鍵孔をピッキングし易い位置に向けることができるので、南京錠をピッキングにより不正解錠される虞がある。
【０００４】
このような問題を解決するために、図７に示すように、自動販売機Ａの箱体Ｅと扉Ｄのうち、一方にチェンＣの一端を固定するチェン固定部Ｆを設け、他方にチェンＣの他端を係脱する施錠部Ｂを設けた開扉防止用錠装置がある（実公平６−３０９７号公報など参照）。
施錠部Ｂの側面に挿入溝５が設けられ、施錠部Ｂの下面に、鍵孔を下方に向けたシリンダ錠（図示しない）が埋設され、シリンダ錠を施錠操作すると、施錠ロッド１９が突出してチェンＣの他端に係入するようになっている。
【０００５】
このような開扉防止用錠装置では、自動販売機Ａの周囲にチェンを巻き付ける必要がないので、開扉防止の手間が容易になる利点と、自動販売機Ａにチェンや南京錠の打ち傷がつく虞がなく、鍵孔が施錠部Ｂの下面にあるので、ピッキングが困難になり、鍵孔より雨水や塵埃が進入しないなどの利点がある。
【０００６】
【発明が解決しようとする課題】
しかし、金切り鋏でチェンＣ或いはチェン固定部Ｆを切断して扉Ｄをバールでこじ開けられる虞がある。
チェンＣを焼入れして金切り鋏で切断されない高硬度にすると、チェンＣの切断は防止されるが、硬くなった反面脆性が生じるチェンＣがハンマで破壊される虞が生じる。
本発明はかかる課題を解決することを目的とし、金切り鋏を受付けず、ハンマの打撃では破壊しない信頼性の高い開扉防止用錠装置を提供するものである。
【０００７】
【課題を解決するための手段】
上記目的を達成するために、本発明の開扉防止用錠装置は、
シリンダ錠が埋設された、側面に挿入溝が設けられた錠本体の内部に、上記シリンダ錠の施錠，解錠操作で上記挿入溝に出没する施錠ロッドを設けた施錠部と、
内部にカラー収容室が形成され、外面から上記カラー収容室に連通する横長孔を有するジョイント本体と、上記カラー収容室内に昇降可能，回動可能に挿入される上下一対のジョイントカラーと、該一対のジョイントカラーを貫通する支軸と、一端が上記一対のジョイントカラーの間の上記支軸に枢着され、他端が上記挿入溝に挿入され、上記施錠ロッドが係合する施錠孔を有する連結板とを備えたジョイント部により構成され、
前面に開口部を有する箱体と上記開口部を開閉する扉のうち、一方に上記施錠部を固着し、他方に上記ジョイント部を固着したものである。
【０００８】
上記横長孔は、上記連結板の上下方向の位置調整が可能である幅寸法にするとよい。
上記連結板は、表面を焼入れした肌焼き材とするとよい。
上記挿入溝の側面を凹状面に形成し、上記連結板の先端部に、上記凹状面と同形状の輪郭の凸状面を形成し、該凸状面が上記凹状面に当接したときに、上記施錠孔が上記施錠ロッドの軸心と重なるように構成するとよい。
【０００９】
【発明の実施の形態】
本発明の実施の形態について図面を参照して説明すると、図１は開扉防止用錠装置の施錠状態を示す要部破断正面図、図２は図１の底面図、図３は図１のＸ−Ｘ断面図である。
本発明の開扉防止用錠装置は、従来のチェンＣ及びチェン固定部Ｆをジョイント部Ｊに代えるものであり、従来の施錠部Ｂはそのまま使用される。
本実施例では、施錠部Ｂを扉Ｄに、ジョイント部Ｊを箱体Ｅに取り付けた場合について説明するが、施錠部Ｂを箱体Ｅに、ジョイント部Ｊを扉Ｄに取り付けてもよい。
【００１０】
施錠部Ｂの構造は従来例のものと同様なので簡単に説明すると、図８の縦断面図に示すように、錠本体１の左端に、扉Ｄの端面に固着される取付面１ａが設けられ、取付面１ａの上下方向に配列して設けられた２つのねじ孔２に、扉Ｄの裏面から扉Ｄを貫通するボルト３が各ねじ孔２に挿入され、ボルト３に螺合するナット４により施錠部Ｂが扉Ｄに取り付けられる。
【００１１】
錠本体１には、取付面１ａの反対側に、底面５ａがＶ字形の凹状面に形成された挿入溝５（図３参照）が設けられ、錠本体１の下面に開口する収容孔６は、下方の大径孔部６ａと、大径孔部６ａに連通し挿入溝５を貫通する小径孔部６ｂとにより構成される。
【００１２】
錠本体１には、大径孔部６ａから取付面１ａに貫通する縦長孔７が設けられ、縦長孔７の下方の取付面１ａに四角形状の凹部８が形成され、四角形状の凹部８の底面のほぼ中央にねじ孔９が螺設され、凹部８の両端部に、凹部８の底面から大径孔部６ａに達する長孔１０が設けられる。
大径孔部６ａに挿入されるシリンダカム１１は、円形の底壁１２と、底壁１２の周縁から上方に延びる周壁１３とを有し、周壁１３に螺旋形状の長孔によって形成される螺旋カム１５が設けられる（図９参照）。
【００１３】
周壁１３の内面に昇降及び回動可能に挿入されるロッドガイド１６には、下面に開口する円形凹部１７と、円形凹部１７に設けられた孔に下端部が挿入され止め輪１８によって抜け止めされる施錠ロッド１９と、外周面より突出し螺旋カム１５及び縦長孔７に挿入されるガイドピン２０が設けられる。
従って、シリンダカム１１が大径孔部６ａの内周面に沿って回動すると、施錠ロッド１９が昇降する。
【００１４】
シリンダカム１１の下方の大径孔部６ａに挿入されるシリンダ錠２１は、筒状のシリンダケース２２と、シリンダケース２２に回動可能に挿入されるロータ２３とを有し、シリンダケース２２の外周面は、円形の外周面の両側を平面に切欠された非円形の形状であり、円形部分に設けられた雄ねじにナット２４が螺合する。
ロータ２３の前面に鍵孔２５が設けられ、ロータ２３の後部に延設された非円形軸部２６が底壁１２に設けられた非円形孔に係入する。
【００１５】
シリンダ錠２１は、鍵孔２５を下に向けて大径孔部６ａに挿入された後に、２つの長孔１０にそれぞれ挿入される脚部を有し凹部８に挿入される固定金具２７によって回動不能，軸方向移動不能に拘束される。
以上のような構成により、鍵孔２５に挿入したキーを施錠角度及び解錠角度に回動すると、ロータ２３と共にシリンダカム１１が回動し、シリンダカム１１の螺旋カム１５に係合し縦長孔７によって回動を阻止されたガイドピン２０が上下動し、施錠ロッド１９が挿入溝５に出没する。
【００１６】
ジョイント部Ｊは、側面に箱体Ｅに固着される取付面２８ａ（図６参照）を有するジョイント本体２８の内部に、断面形状が円形に形成されたカラー収容室２９が設けられる。
カラー収容室２９の上端部に、ジョイント本体２８の外面に開口する角孔状の組立作業用孔３０が設けられ、中間部には、外面に開口する横長孔３１が設けられ、下端部に、下方に開口する大径部２９ａが形成される。
【００１７】
カラー収容室２９の内部に、上下一対のジョイントカラー３２が昇降可能且つ回動可能に挿入され、一対のジョイントカラー３２の間に連結板３３の一端部（図１において右端部）が挿入される。
一対のジョイントカラー３２の中央に軸挿入用孔３４が貫通し、連結板３３の一端に、軸挿入用孔３４に重なる軸挿入用孔３５が設けられ、軸挿入用孔３４，３５に支軸３６が挿入される。
【００１８】
支軸３６の両端にそれぞれ環状溝３７が設けられ、下側の環状溝３７に止め輪３８を嵌着した後に、組立作業用孔３０からカラー収容室２９の内部に挿入したもう１つの止め輪３８を上側の環状溝３７に嵌着する。
従って、一対のジョイントカラー３２及び連結板３３は、支軸３６に対して回動可能に枢着され、止め輪３８により軸方向の移動が阻止される。
【００１９】
連結板３３は、肉厚寸法が大きい肌焼き材であり、表面のみを浸炭或いは窒化した後に焼入れしてあるので、表面は金切り鋏を受け付けない高硬度であり、内部は靱性を有するので、ハンマの衝撃で破損することはない。
【００２０】
横長孔３１の上下方向の幅寸法は、連結板３３の板厚よりも大きく形成されているので、連結板３３は、一対のジョイントカラー３２及び支軸３６と一体となって上下方向の位置を調整可能である。
支軸３６に一対のジョイントカラー３２及び連結板３３を枢着した後に、大径部２９ａに、ドレン排出孔４０を有する下部蓋３９が圧入される。
【００２１】
ジョイント本体２８の取付面２８ａの上下にねじ孔４１が設けられ、下側のねじ孔４１は、圧入された下部蓋３９にも設けられる。
上下のねじ孔４１に、全長に雄ねじを螺設したボルト４２が螺合し、箱体Ｅを貫通する孔にボルト４２を挿通した後に、箱体Ｅの内側からボルト４２にナット４３を螺合することにより、ジョイント本体２８を箱体Ｅに固着する（図５参照）。
下側のボルト４２は、下部蓋３９にもねじ込まれるので、下部蓋３９の抜け止めの機能を兼ね備える。
【００２２】
連結板３３の他端部（図１において左端部）に施錠孔４４が設けられ、他端部の側面に、施錠部Ｂの挿入溝５の凹状面の側面５ａと同形状の輪郭の凸状面３３ａが形成され、凸状面３３ａを挿入溝５の凹状面の底面５ａに当接したときに、施錠孔４４は、施錠ロッド１９の軸心と重なるので、施錠ロッド１９が突出すると施錠孔４４に係入し、開扉防止用錠装置が施錠される。
【００２３】
以上の実施例では、挿入溝５の側面５ａをＶ字形の凹状面とし、連結板３３の先端部の側面をＶ字形の凸状面３３ａとしたが、側面５ａを凸状面とし連結板３３の先端部の側面を凹状面としてもよい。
又、挿入溝５の側面５ａと連結板３３の先端部の側面の形状は、状面及び凹状面に限定されるものではなく、連結板３３を挿入溝５の側面５ａに当接状態に保持する形状であれば、如何なる形状であってもよい。
又、連結板３３の先端部と挿入溝５の側面５ａとを摺動自在に当接させ、施錠孔４４を長孔状に形成した場合には、水平方向の調整が可能になる。又、一方のジョイントカラー３２と支軸３６を一体に成形してもよい。
【００２４】
以上のように構成された開扉防止用錠装置の作用を、自動販売機への取り付け作業，施錠状態，解錠操作の順に、図１〜図４を参照しながら説明する。
扉Ｄに取り付けられる施錠部Ｂと、箱体Ｅに取り付けられるジョイント部Ｊとが上下方向に相対的取り付け位置誤差を生じても、連結板３３は上下方向に位置調整可能であるので、連結板３３を施錠部Ｂの挿入溝５に挿入することができる。
【００２５】
扉が開けられていない通常状態では、自動販売機Ａの扉Ｄが閉鎖，施錠されると共に、開扉防止用錠装置も施錠されている。
開扉防止用錠装置の施錠状態では、連結板３３の他端部が錠本体１の挿入溝５に挿入され、連結板３３の凸状面３３ａが施錠部Ｂの挿入溝５の側面５ａに当接し（図３参照）、施錠部Ｂのシリンダ錠２１の施錠操作により施錠ロッド１９が連結板３３の施錠孔４４に係入している。
【００２６】
連結板３３は、チェンに較べて肉厚が厚く、表面のみ高硬度であるので、金切り鋏やハンマで破壊することができない。
ジョイントカラー３２に刃物を当てても、ジョイントカラー３２が空転するのでジョイントカラー３２を切断することができない。
施錠部Ｂの錠本体１及びジョイント部Ｊのジョイント本体２８は、肉厚の厚いケースであるので、破壊することができない。
従って、  開扉防止用錠装置を破壊して不正に扉Ｄを開く盗難が防止される。
【００２７】
施錠部Ｂの鍵孔２５は、錠本体１の下面に設けられているので、鍵孔２５から雨水が侵入することなく、又、ピッキングによる不正解錠は困難である。
ジョイント部Ｊでは、横長孔３１を経由してジョイント本体２８内に雨水が侵入しても、ジョイント本体２８の内部構造が簡単であり、作動が不円滑になる問題はなく、雨水は内部に滞留することなく、ドレン排出孔４０から排除される。
【００２８】
自動販売機の扉Ｄを開くには、鍵孔２５に挿入したキーを解錠方向に回動し、施錠ロッド１９を挿入溝５より没入させる。
施錠ロッド１９が没入すると、連結板３３と施錠ロッド１９との係合が解除され、扉Ｄを開くことができる。
【００２９】
【発明の効果】
本発明は以上のように構成されているので、以下に記載されるような効果を奏する。
(1) 連結板は、表面のみ刃物を受付ない高硬度に焼入れされているので、金切り鋏等で切断することが不可能であり、連結板の肉厚はチェンに比較して厚く  、しかも内部は靱性を有するので、ハンマによる破壊も防止される。
(2) ジョイントカラーは支軸を中心に回動可能であるので、刃物を当てても空転し、刃物の切断が防止される。
(3) 連結板は上下方向に位置調整可能であるので、施錠部とジョイント部に相対的な上下方向の取り付け誤差を生じても、連結板を施錠部の挿入溝に挿入することができる。
(4) 連結板の凸状面を施錠部の挿入溝の凹状の底面に合わせると、施錠ロッドの軸心と連結板の施錠孔と一致するので、施錠操作が容易である。
【図面の簡単な説明】
【図１】開扉防止用錠装置の施錠状態を示す要部破断正面図である。
【図２】図１の底面図である。
【図３】図１のＸ−Ｘ断面図である。
【図４】開扉防止用錠装置の解錠状態を示す図１のＸ−Ｘ断面図である。
【図５】箱体に取り付けられたジョイント部の側面図である。
【図６】ジョイント部の平面図である。
【図７】自動販売機に取り付けられた従来の開扉防止用錠装置の斜視図である。
【図８】施錠部の縦断面図である。
【図９】施錠部のシリンダカムの正面図である。
【符号の説明】
Ｂ            施錠部
Ｄ            扉
Ｅ            箱体
Ｊ            ジョイント部
１            錠本体
５            挿入溝
５ａ          底面
１９          施錠ロッド
２１          シリンダ錠
２８          ジョイント本体
２９          カラー収容室
３１          横長孔
３２          ジョイントカラー
３３          連結板
３３ａ        凸状面
３６          支軸
３９          下部蓋
４０          ドレン排出孔
４２          ボルト
４４          施錠孔
【図１】
0003681816.tif 000002
【図２】
0003681816.tif 000003
【図３】
0003681816.tif 000004
【図４】
0003681816.tif 000005
【図５】
0003681816.tif 000006
【図６】
0003681816.tif 000007
【図７】
0003681816.tif 000008
【図８】
0003681816.tif 000009
【図９】
0003681816.tif 000010